(57)【特許請求の範囲】
【請求項１】
ＡＣ電源からのＡＣ入力電圧を示す電圧値の入力を逐次受け付ける受付手段と、
同一のＡＣ電源電圧を示す電圧値のグループ毎に、前記ＡＣ電源電圧に応じた電力制御パラメータと前記ＡＣ電源電圧の識別値とを対応付けた電力制御テーブルを記憶する電力制御テーブル記憶手段と、
前記受付手段により前記電圧値の入力が受け付けられる毎に、受け付けられた前記電圧値を対応付けられた識別値に変換する変換手段と、
前記変換手段による変換が行われる毎に、現在の識別値と前回の識別値とが一致するか否かを判定し、一致を示す判定結果が所定回数連続する場合に、現在の識別値を識別値として確定し、不一致を示す判定結果が所定回数に達した場合に、予め定められた電圧を示す識別値を識別値として確定する確定手段と、
確定された前記識別値に対応付けられた前記電力制御パラメータに従って、電力の供給を制御させる電力制御手段と、
を備えることを特徴とする電力制御装置。
【請求項２】
ＡＣ電源からのＡＣ入力電圧を示す電圧値の入力を逐次受け付ける受付手段と、
同一のＡＣ電源電圧を示す電圧値のグループ毎に、前記ＡＣ電源電圧に応じた電力制御パラメータと前記ＡＣ電源電圧の識別値とを対応付けた電力制御テーブルを記憶する電力制御テーブル記憶手段と、
前記受付手段により前記電圧値の入力が受け付けられる毎に、受け付けられた前記電圧値を対応付けられた識別値に変換する変換手段と、
前記変換手段による変換が行われる毎に、現在の識別値と前回の識別値とが一致するか否かを判定し、一致を示す判定結果が所定回数に達した場合に、現在の識別値を識別値として確定し、不一致を示す判定結果が所定回数に達した場合に、予め定められた電圧を示す識別値を識別値として確定する確定手段と、
確定された前記識別値に対応付けられた前記電力制御パラメータに従って、電力の供給を制御させる電力制御手段と、
を備えることを特徴とする電力制御装置。
【請求項３】
ＡＣ電源からのＡＣ入力電圧を示す電圧値の入力を逐次受け付ける受付手段と、
同一のＡＣ電源電圧を示す電圧値のグループ毎に、前記ＡＣ電源電圧に応じた電力制御パラメータと前記ＡＣ電源電圧の識別値とを対応付けた電力制御テーブルを記憶する電力制御テーブル記憶手段と、
前記受付手段により前記電圧値の入力が受け付けられる毎に、受け付けられた前記電圧値を対応付けられた識別値に変換する変換手段と、
前記変換手段による変換が行われる毎に、現在の識別値と前回の識別値とが一致するか否かを判定し、一致を示す判定結果が所定回数連続する場合に、現在の識別値を識別値として確定し、不一致を示す判定結果が所定回数に達した場合に、不一致時の現在の識別値の中から最大電圧を示す識別値を識別値として確定する確定手段と、
確定された前記識別値に対応付けられた前記電力制御パラメータに従って、電力の供給を制御させる電力制御手段と、
を備えることを特徴とする電力制御装置。
【請求項４】
ＡＣ電源からのＡＣ入力電圧を示す電圧値の入力を逐次受け付ける受付手段と、
同一のＡＣ電源電圧を示す電圧値のグループ毎に、前記ＡＣ電源電圧に応じた電力制御パラメータと前記ＡＣ電源電圧の識別値とを対応付けた電力制御テーブルを記憶する電力制御テーブル記憶手段と、
前記受付手段により前記電圧値の入力が受け付けられる毎に、受け付けられた前記電圧値を対応付けられた識別値に変換する変換手段と、
前記変換手段による変換が行われる毎に、現在の識別値と前回の識別値とが一致するか否かを判定し、一致を示す判定結果が所定回数に達した場合に、現在の識別値を識別値として確定し、不一致を示す判定結果が所定回数に達した場合に、不一致時の現在の識別値の中から最大電圧を示す識別値を識別値として確定する確定手段と、
確定された前記識別値に対応付けられた前記電力制御パラメータに従って、電力の供給を制御させる電力制御手段と、
を備えることを特徴とする電力制御装置。
【請求項５】
前記予め定められた電圧を示す識別値は、最小電流となる電圧を示すことを特徴とする請求項１又は２に記載の電力制御装置。
【請求項６】
前記予め定められた電圧を示す識別値は、出荷地域に応じたＡＣ電源電圧を示すことを特徴とする請求項１又は２に記載の電力制御装置。
【請求項７】
前記電力制御手段は、前記確定手段により確定されるまでの間、予め定められた電圧で電力の供給を制御させることを特徴とする請求項１〜６のいずれか１つに記載の電力制御装置。
【請求項８】
前記予め定められた電圧は、最小電流となる電圧であることを特徴とする請求項７に記載の電力制御装置。
【請求項９】
前記予め定められた電圧は、出荷地域に応じたＡＣ電源電圧であることを特徴とする請求項７に記載の電力制御装置。
【請求項１０】
前記確定手段は、前記所定数の電圧値が含まれるグループの確定を、所定のタイミング毎に行うことを特徴とする請求項１〜９のいずれか１つに記載の電力制御装置。
【請求項１１】
前記確定手段は、出荷地域に応じたＡＣ電源電圧に応じて、識別値の確定処理を行うか否かを決定することを特徴とする請求項１〜１０のいずれか１つに記載の電力制御装置。
【請求項１２】
前記確定手段は、ハードウェアであることを特徴とする請求項１〜１１のいずれか１つに記載の電力制御装置。
【請求項１３】
請求項１〜１２のいずれか１つに記載の電力制御装置を備えることを特徴とする画像形成装置。
【請求項１４】
受付手段が、ＡＣ電源からのＡＣ入力電圧を示す電圧値の入力を逐次受け付ける受付ステップと、
変換手段が、同一のＡＣ電源電圧を示す電圧値のグループ毎に、前記ＡＣ電源電圧に応じた電力制御パラメータと前記ＡＣ電源電圧の識別値とを対応付けた電力制御テーブルを記憶する電力制御テーブル記憶手段に記憶された前記電力制御テーブルを参照して、前記受付ステップにより前記電圧値の入力が受け付けられる毎に、受け付けられた前記電圧値を対応付けられた識別値に変換する変換ステップと、
確定手段が、前記電力制御テーブルを参照して、前記変換ステップによる変換が行われる毎に、現在の識別値と前回の識別値とが一致するか否かを判定し、一致を示す判定結果が所定回数連続する場合に、現在の識別値を識別値として確定し、不一致を示す判定結果が所定回数に達した場合に、予め定められた電圧を示す識別値を識別値として確定する確定ステップと、
電力制御手段が、確定された前記識別値に対応付けられた前記電力制御パラメータに従って、電力の供給を制御させる電力制御ステップと、
をコンピュータに実行させるための電力制御プログラム。
【請求項１５】
受付手段が、ＡＣ電源からのＡＣ入力電圧を示す電圧値の入力を逐次受け付ける受付ステップと、
変換手段が、同一のＡＣ電源電圧を示す電圧値のグループ毎に、前記ＡＣ電源電圧に応じた電力制御パラメータと前記ＡＣ電源電圧の識別値とを対応付けた電力制御テーブルを記憶する電力制御テーブル記憶手段に記憶された前記電力制御テーブルを参照して、前記受付ステップにより前記電圧値の入力が受け付けられる毎に、受け付けられた前記電圧値を対応付けられた識別値に変換する変換ステップと、
確定手段が、前記電力制御テーブルを参照して、前記変換ステップによる変換が行われる毎に、現在の識別値と前回の識別値とが一致するか否かを判定し、一致を示す判定結果が所定回数に達した場合に、現在の識別値を識別値として確定し、不一致を示す判定結果が所定回数に達した場合に、予め定められた電圧を示す識別値を識別値として確定する確定ステップと、
電力制御手段が、確定された前記識別値に対応付けられた前記電力制御パラメータに従って、電力の供給を制御させる電力制御ステップと、
をコンピュータに実行させるための電力制御プログラム。
【請求項１６】
受付手段が、ＡＣ電源からのＡＣ入力電圧を示す電圧値の入力を逐次受け付ける受付ステップと、
変換手段が、同一のＡＣ電源電圧を示す電圧値のグループ毎に、前記ＡＣ電源電圧に応じた電力制御パラメータと前記ＡＣ電源電圧の識別値とを対応付けた電力制御テーブルを記憶する電力制御テーブル記憶手段に記憶された前記電力制御テーブルを参照して、前記受付ステップにより前記電圧値の入力が受け付けられる毎に、受け付けられた前記電圧値を対応付けられた識別値に変換する変換ステップと、
確定手段が、前記電力制御テーブルを参照して、前記変換ステップによる変換が行われる毎に、現在の識別値と前回の識別値とが一致するか否かを判定し、一致を示す判定結果が所定回数連続する場合に、現在の識別値を識別値として確定し、不一致を示す判定結果が所定回数に達した場合に、不一致時の現在の識別値の中から最大電圧を示す識別値を識別値として確定する確定ステップと、
電力制御手段が、確定された前記識別値に対応付けられた前記電力制御パラメータに従って、電力の供給を制御させる電力制御ステップと、
をコンピュータに実行させるための電力制御プログラム。
【請求項１７】
受付手段が、ＡＣ電源からのＡＣ入力電圧を示す電圧値の入力を逐次受け付ける受付ステップと、
変換手段が、同一のＡＣ電源電圧を示す電圧値のグループ毎に、前記ＡＣ電源電圧に応じた電力制御パラメータと前記ＡＣ電源電圧の識別値とを対応付けた電力制御テーブルを記憶する電力制御テーブル記憶手段に記憶された前記電力制御テーブルを参照して、前記受付ステップにより前記電圧値の入力が受け付けられる毎に、受け付けられた前記電圧値を対応付けられた識別値に変換する変換ステップと、
確定手段が、前記電力制御テーブルを参照して、前記変換ステップによる変換が行われる毎に、現在の識別値と前回の識別値とが一致するか否かを判定し、一致を示す判定結果が所定回数に達した場合に、現在の識別値を識別値として確定し、不一致を示す判定結果が所定回数に達した場合に、不一致時の現在の識別値の中から最大電圧を示す識別値を識別値として確定する確定ステップと、
電力制御手段が、確定された前記識別値に対応付けられた前記電力制御パラメータに従って、電力の供給を制御させる電力制御ステップと、
をコンピュータに実行させるための電力制御プログラム。
【発明の詳細な説明】
【技術分野】
【０００１】
本発明は、電力制御装置、画像形成装置、及び電力制御プログラムに関する。
【背景技術】
【０００２】
従来から、複写機などの画像形成装置は、商用電源（ＡＣ電源）から定着ヒータへ給電し、定着ヒータが備えられた定着部の温度を監視する。そして画像形成装置は、監視した定着部の温度に応じて定着ヒータの単位時間当たりの通電時間と無通電時間とのデューティ（Ｄｕｔｙ）を制御することで定着ヒータへの給電を制御し、定着部の温度制御を行っている。
【０００３】
ところで、商用電源の電源電圧がユーザ先（画像形成装置を使用する地域）毎に異なるにも関わらず同一条件で定着部の温度制御を行うと、商用電源からの入力電圧が画像形成装置の定格電圧以上となる場合も考えられる。この場合には、定着ヒータで必要以上の電力が消費されることになる。
【０００４】
このため、例えば特許文献１には、商用電源からの入力電圧を検知し、検知した入力電圧に応じて、定着ヒータの単位時間当たりの通電時間と無通電時間とのデューティを制御することで、定着ヒータの消費電力を制御する技術が開示されている。
【発明の概要】
【発明が解決しようとする課題】
【０００５】
しかしながら、特許文献１に記載されたような従来技術では、商用電源にノイズが入った場合に、商用電源からの入力電圧を誤検知してしまい、適切な電力制御を行えない可能性がある。
【０００６】
本発明は、上記事情に鑑みてなされたものであり、商用電源にノイズが入った場合であっても、適切な電力制御を行うことができる電力制御装置、画像形成装置、及び電力制御プログラムを提供することを目的とする。
【課題を解決するための手段】
【０００７】
上述した課題を解決し、目的を達成するために、本発明の一態様にかかる電力制御装置は、ＡＣ電源からのＡＣ入力電圧を示す電圧値の入力を逐次受け付ける受付手段と、同一のＡＣ電源電圧を示す電圧値のグループ毎に、前記ＡＣ電源電圧に応じた電力制御パラメータと前記ＡＣ電源電圧の識別値とを対応付けた電力制御テーブルを記憶する電力制御テーブル記憶手段と、前記受付手段により前記電圧値の入力が受け付けられる毎に、受け付けられた前記電圧値を対応付けられた識別値に変換する変換手段と、前記変換手段による変換が行われる毎に、現在の識別値と前回の識別値とが一致するか否かを判定し、一致を示す判定結果が所定回数連続する場合に、現在の識別値を識別値として確定し、不一致を示す判定結果が所定回数に達した場合に、予め定められた電圧を示す識別値を識別値として確定する確定手段と、確定された前記識別値に対応付けられた前記電力制御パラメータに従って、電力の供給を制御させる電力制御手段と、を備えることを特徴とする。
【０００８】
また、本発明の別の態様にかかる画像形成装置は、上記電力制御装置を備えることを特徴とする。
【０００９】
また、本発明の別の態様にかかる電力制御プログラムは、受付手段が、ＡＣ電源からのＡＣ入力電圧を示す電圧値の入力を逐次受け付ける受付ステップと、変換手段が、同一のＡＣ電源電圧を示す電圧値のグループ毎に、前記ＡＣ電源電圧に応じた電力制御パラメータと前記ＡＣ電源電圧の識別値とを対応付けた電力制御テーブルを記憶する電力制御テーブル記憶手段に記憶された前記電力制御テーブルを参照して、前記受付ステップにより前記電圧値の入力が受け付けられる毎に、受け付けられた前記電圧値を対応付けられた識別値に変換する変換ステップと、確定手段が、前記電力制御テーブルを参照して、前記変換ステップによる変換が行われる毎に、現在の識別値と前回の識別値とが一致するか否かを判定し、一致を示す判定結果が所定回数連続する場合に、現在の識別値を識別値として確定し、不一致を示す判定結果が所定回数に達した場合に、予め定められた電圧を示す識別値を識別値として確定する確定ステップと、電力制御手段が、確定された前記識別値に対応付けられた前記電力制御パラメータに従って、電力の供給を制御させる電力制御ステップと、をコンピュータに実行させるためのものである。
【発明の効果】
【００１０】
本発明によれば、商用電源にノイズが入った場合であっても、適切な電力制御を行うことができるという効果を奏する。
【図面の簡単な説明】
【００１１】
【図１】図１は、第１実施形態の複写機に適用された電力制御装置の構成例を示すブロック図である。
【図２】図２は、第１実施形態のＡＣ入力電圧検知部の構成例を示す回路図である。
【図３】図３は、第１実施形態のＡ／Ｄ変換テーブル例を示す図である。
【図４】図４は、ＡＣ入力電圧とアナログ信号の電圧値との対応関係の例を示すグラフである。
【図５】図５は、第１実施形態のＣＰＵの機能構成例を示すブロック図である。
【図６】図６は、電力制御テーブル例を示す図である。
【図７】図７は、第１実施形態の複写機の立ち上がり後のＡＣ入力電圧検知部の状態と定着部の電力制御の関係との例を説明する説明図である。
【図８】図８は、第１実施形態の電力制御装置による電力制御例を示すフローチャートである。
【図９】図９は、第１実施形態のＡＣ電源電圧確定処理例を示すフローチャートである。
【図１０】図１０は、第１実施形態の変形例のＡＣ電源電圧確定処理例を示すフローチャートである。
【図１１】図１１は、第２実施形態のＣＰＵの機能構成例を示すブロック図である。
【図１２】図１２は、第２実施形態のＡＣ電源電圧確定処理例を示すフローチャートである。
【図１３】図１３は、第２実施形態の変形例のＡＣ電源電圧確定処理例を示すフローチャートである。
【図１４】図１４は、第３実施形態のＣＰＵの機能構成例を示すブロック図である。
【図１５】図１５は、第３実施形態の複写機の立ち上がり後のＡＣ入力電圧検知部の状態と定着部の電力制御の関係との例を説明する説明図である。
【図１６】図１６は、第３実施形態の電力制御装置による電力制御例を示すフローチャートである。
【図１７】図１７は、第４実施形態のＣＰＵの機能構成例を示すブロック図である。
【図１８】図１８は、第４実施形態の電力制御装置による電力制御例を示すフローチャートである。
【図１９】図１９は、第５実施形態のＣＰＵの機能構成例を示すブロック図である。
【図２０】図２０は、第５実施形態の電力制御装置による電力制御例を示すフローチャートである。
【図２１】図２１は、第６実施形態のＡＣ電源電圧確定処理例を示すフローチャートである。
【図２２】図２２は、第６実施形態の変形例のＡＣ電源電圧の検知タイミング例の説明図である。
【図２３】図２３は、第６実施形態の変形例のＡＣ電源電圧の検知タイミング例の説明図である。
【図２４】図２４は、第７実施形態の電力制御装置の一部の構成例を示すブロック図である。
【発明を実施するための形態】
【００１２】
以下、添付図面を参照しながら、本発明にかかる電力制御装置、画像形成装置、及び電力制御プログラムの実施形態を詳細に説明する。なお、以下の各実施形態では、画像形成装置の一例である複写機に電力制御装置を適用して定着制御を行う場合を例にとり説明するが、本発明はこれに限定されるものではない。
【００１３】
（第１実施形態）
まず、第１実施形態の複写機に適用された電力制御装置の構成について説明する。
【００１４】
図１は、第１実施形態の複写機１に適用された電力制御装置１０の構成の一例を示すブロック図である。図１に示すように、電力制御装置１０は、ＡＣ入力電圧検知部２０と、エンジン制御部３０と、定着部８０と、ＤＣ電源９０とを、備える。
【００１５】
ＡＣ入力電圧検知部２０は、ＡＣ電源５からのＡＣ入力電圧を検知する。なお、「ＡＣ入力電圧」とは、ＡＣ電源５の瞬間の電圧である瞬時値を意味する。定着部８０は、ＡＣ電源５からの給電を受け、スキャナなどの読取装置（図示省略）により読み取られ、感光体ドラム（図示省略）上に書き込まれた画像データを転写紙などの記録媒体に定着させるものである。定着部８０は、定着ヒータ駆動部８２と定着ヒータ８４とを備える。ＤＣ電源９０は、ＡＣ電源５からのＡＣ電源をＤＣ電源に変換して、エンジン制御部３０に供給する。エンジン制御部３０は、ＡＣ入力電圧検知部２０により検知されたＡＣ入力電圧を用いて、ＡＣ電源５から定着部８０への給電を制御し、定着部８０の定着制御を行う。エンジン制御部３０は、ＩＯ制御部４０と、ＣＰＵ（Central  Processing  Unit）５０と、ＲＡＭ（Random  Access  Memory）６０と、ＲＯＭ（Read  Only  Memory）７０とを、備える。
【００１６】
図２は、第１実施形態のＡＣ入力電圧検知部２０の構成の一例を示す回路図である。図２に示すように、ＡＣ入力電圧検知部２０は、トランス２１、ブリッジダイオード２２、平滑コンデンサ２３、可変抵抗２６を含む分圧抵抗２４、及びオペアンプ２５などを備える。
【００１７】
所定の巻数比のトランス２１は、ＡＣ電源５からのＡＣ電源が入力されると、アナログ信号電圧とＡＣ電源とを絶縁し、アナログ信号電圧を内部回路で使用するのに都合の良い電圧レベルまで降圧する。ブリッジダイオード２２は、トランス２１の２次側の出力電圧を全波整流する。平滑コンデンサ２３は、全波整流された電圧を平滑する。分圧抵抗２４は、平滑された電圧を分圧する。インピーダンス変換回路の一例であるオペアンプ２５は、平滑コンデンサ２３により平滑された電圧、又は分圧抵抗２４により分圧された電圧を入力し、アナログ信号の電圧値としてエンジン制御部３０のＩＯ制御部４０に出力する。
【００１８】
このように、ＡＣ入力電圧検知部２０は、ＡＣ電源５からのＡＣ入力電圧をアナログ信号の電圧値として検知し、ＩＯ制御部４０に出力する。なお、アナログ信号の電圧値は、ＡＣ電源５からのＡＣ入力電圧と一定の比例関係又は相関関係がある様に可変抵抗２６で調整される。例えば、第１実施形態では、ＡＣ電源５からのＡＣ入力電圧がＡＣ２３０Ｖである場合、アナログ信号の電圧値がＤＣ１．８Ｖになるように可変抵抗２６で調整される。
【００１９】
図１に戻り、ＩＯ制御部４０は、エンジン制御部３０とＡＣ入力電圧検知部２０及び定着部８０とを接続するものであり、Ａ／Ｄ変換部４２と、定着制御部４４とを、備える。
【００２０】
Ａ／Ｄ変換部４２は、ＡＣ入力電圧検知部２０から入力されたアナログ信号の電圧値をデジタルの電圧値にＡ／Ｄ変換する。例えば、Ａ／Ｄ変換部４２は、アナログ信号の電圧値とデジタルの電圧値とを対応付けたＡ／Ｄ変換テーブルを保持し、このＡ／Ｄ変換テーブルを参照して、アナログ信号の電圧値をデジタルの電圧値に変換する。また例えば、Ａ／Ｄ変換部４２は、アナログ信号の電圧値をデジタルの電圧値へ変換する変換式を保持し、この変換式を用いてアナログ信号の電圧値をデジタルの電圧値に変換するようにしてもよい。
【００２１】
図３は、Ａ／Ｄ変換テーブルの一例を示す図である。図３に示す例では、Ａ／Ｄ変換テーブルは、デジタルの電圧値と、アナログ信号の電圧値と、ＡＣ入力電圧とを、対応付けている。なお、ＡＣ入力電圧からアナログ信号の電圧値への変換は、複写機（電力制御装置）に搭載されるＡＣ入力電圧検知部毎に若干の誤差が生じる。このため第１実施形態では、図４に示すように、ＡＣ入力電圧を変化させたときのアナログ信号の電圧値を複数台の試作品（試作品ａ〜ｄ）で測定し、測定した値を平均化して、ＡＣ入力電圧と対応づけることにより、図３に示すＡ／Ｄ変換テーブルを作成している。また、図３に示すＡ／Ｄ変換テーブルでは、デジタルの電圧値は、１０ｂｉｔのデータで表されており（以下、デジタルの電圧値は、１０進数で説明する）、アナログ信号の電圧値０．００３２３Ｖがデジタルの電圧値１に相当する。
【００２２】
従って、ＡＣ電源５からのＡＣ入力電圧が２３０Ｖである場合、Ａ／Ｄ変換部４２は、図３に示すＡ／Ｄ変換テーブルを参照して、ＡＣ入力電圧検知部２０から入力されたアナログ信号の電圧値１．８Ｖをデジタルの電圧値５５７に変換する。
【００２３】
なお、定着制御部４４の詳細については、後述する。
【００２４】
ＣＰＵ５０は、ＲＡＭ６０をワーク領域として電力制御装置１０の全体を制御するものであり、第１実施形態では、図５に示すように、受付部５１、変換部５２、確定部５３、電力制御部５４、及び取得部５５として機能する。
【００２５】
なお、電力制御装置１０で実行される電力制御プログラムは、ＲＯＭ７０等に予め組み込まれて提供される。また、電力制御装置１０で実行される電力制御プログラムは、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記憶媒体に記録して提供するように構成してもよい。
【００２６】
さらに、電力制御装置１０で実行される電力制御プログラムを、インターネット等のネットワークに接続されたコンピュータ上に格納し、ネットワーク経由でダウンロードさせることにより提供するように構成しても良い。また、電力制御装置１０で実行される電力制御プログラムを、インターネット等のネットワーク経由で提供または配布するように構成しても良い。
【００２７】
電力制御装置１０で実行される電力制御プログラムは、上述した各部をコンピュータ上で実現させるためのモジュール構成となっている。実際のハードウェアとしてはＣＰＵ５０がＲＯＭ７０から電力制御プログラムをＲＡＭ６０上に読み出して実行することにより、上記各部がコンピュータ上で実現されるようになっている。
【００２８】
受付部５１は、ＡＣ電源５からのＡＣ入力電圧を示す電圧値の入力を逐次受け付ける。具体的には、受付部５１は、ＡＣ電源５からのＡＣ入力電圧を示す電圧値として、ＡＣ入力電圧のデジタルの電圧値をＡ／Ｄ変換部４２から逐次受け付ける。なお、受付部５１は、受け付けたデジタルの電圧値を特許文献１に記載された方法などで補正するようにしてもよい。これにより、様々な誤差を削減することができる。
【００２９】
ＲＯＭ７０は、ＣＰＵ５０により実行されるプログラムやデータを記憶する読み出し専用のメモリであり、第１実施形態では、同一のＡＣ電源電圧を示す電圧値のグループ毎にＡＣ電源電圧に応じた電力制御パラメータを対応付けた電力制御テーブルを記憶する電力制御テーブル記憶部としても機能する。なお、「ＡＣ電源電圧」とは、ＡＣ電源５の電圧の実行値を意味する。また、電力制御テーブル記憶部は、ＲＯＭ以外にも、ＨＤＤ（Hard  Disk  Drive）、ＳＳＤ（Solid  State  Drive）、メモリカード、光ディスクなどの磁気的、光学的、又は電気的に記憶可能な既存の記憶装置により実現してもよい。また、ＲＯＭ７０に記憶された電力制御テーブルをＲＡＭ６０に展開することによりＲＡＭ６０を電力制御テーブル記憶部として機能させてもよい。
【００３０】
図６は、電力制御テーブルの一例を示す図である。図６に示す例では、電力制御テーブルは、ＡＣ入力電圧のグループと、アナログ信号の電圧値のグループと、デジタルの電圧値のグループと、ＡＣ電源電圧の識別値と、電力制御パラメータとを、対応付けている。なお、ＡＣ電源電圧は国毎に異なっており、図６に示す例では、２０８Ｖは北米のＡＣ電源電圧を示し、２２０Ｖは中国のＡＣ電源電圧を示し、２３０ＶはドイツのＡＣ電源電圧を示し、２４０ＶはイギリスのＡＣ電源電圧を示している。また、図６に示す例では、２３０Ｖによる電力制御をデフォルト値（例えば、２４００Ｗ）としており、他のＡＣ電源電圧の場合には、デフォルト値を基準として電力量を変更して電力制御を行う。
【００３１】
図５に戻り、変換部５２は、受付部５１により電圧値の入力が受け付けられる毎に、受け付けられた電圧値を対応付けられた識別値に変換する。具体的には、変換部５２は、受付部５１によりデジタルの電圧値の入力が受け付けられる毎に、受け付けられたデジタルの電圧値を電力制御テーブルで対応付けられたＡＣ電源電圧の識別値に変換する。
【００３２】
確定部５３は、受付部５１により電圧値の入力が受け付けられる毎に、受け付けられた電圧値が複数のグループのうちいずれのグループに含まれるかを判定し、該判定の結果を用いて、受付部５１により逐次受け付けられた複数の電圧値のうち所定数の電圧値が含まれるグループを複数のグループの中から確定する。具体的には、確定部５３は、変換部５２により変換が行われる毎に、現在のＡＣ電源電圧の識別値と前回のＡＣ電源電圧の識別値とが一致するか否かを判定し、一致を示す判定結果が所定回数連続する場合に、識別値を確定する。つまり、確定部５３は、図６に示す例の場合、ＡＣ電源５のＡＣ電源電圧が２０８Ｖ、２２０Ｖ、２３０Ｖ、２４０Ｖのいずれであるかを確定する。
【００３３】
また確定部５３は、不一致を示す判定結果が所定回数に達した場合に、予め定められた電圧を示す識別値を確定する。具体的には、確定部５３は、不一致を示す判定結果が所定回数に達した場合に、最小電流となる電圧を示す識別値を確定する。
【００３４】
電力制御部５４は、確定部５３により確定されたグループに対応付けられた電力制御パラメータに従って、電力の供給を制御させる。具体的には、電力制御部５４は、確定部５３により確定された現在のＡＣ電源電圧の識別値に対応付けられた電力制御パラメータに従って、電力の供給を制御させる。
【００３５】
取得部５５は、出荷地域に応じたＡＣ電源電圧である国別ＡＣ電源電圧の識別値を取得する。
【００３６】
図１に戻り、定着制御部４４は、電力制御部５４の指示を受け、定着ヒータ駆動部８２に電力の供給を制御させる。
【００３７】
定着ヒータ駆動部８２は、定着ヒータ８４をＯＮ／ＯＦＦし、定着ヒータ８４への電力の供給を制御するものであり、回路などにより実現される。
【００３８】
定着ヒータ８４は、定着ローラ（図示省略）を加熱及び加圧するヒータである。
【００３９】
なお、電力制御装置１０は、上述した各部の全てを必須の構成とする必要はなく、その一部を省略した構成としてもよい。
【００４０】
次に、第１実施形態の電力制御装置の動作について説明する。
【００４１】
図７は、第１実施形態の複写機１の立ち上がり後のＡＣ入力電圧検知部２０の状態と定着部８０の電力制御の関係との一例を説明する説明図である。
【００４２】
図７に示すように、ＡＣ入力電圧検知部２０は、エネルギーを節約するため、複写機１の主電源がＯＮされても、複写機１によるエラー確認が終了するまでリレーでオフされている。そして、ＡＣ入力電圧検知部２０をリレーオフからリレーオンに切り替えて起動させるためには、約１００ｍｓの時間を要する。このため、定着部８０による定着制御の開始時にＡＣ電源電圧を確定することは困難である。そこで、第１実施形態の電力制御装置１では、定着部８０による定着制御の開始時には、最低消費電力（最小電流）となる電圧に対応する電力で制御し、ＡＣ電源電圧確定後に確定された電圧に対応する電力で制御する例について説明する。これにより、最大電流値をオーバーしてしまうことを防止できる。
【００４３】
図８は、第１実施形態の電力制御装置２０による電力制御の手順の流れの一例を示すフローチャートである。
【００４４】
まず、取得部５５は、ＡＣ入力電圧検出部２０の起動が開始されると、出荷地域に応じたＡＣ電源電圧である国別ＡＣ電源電圧の識別値ＶａｄをＲＯＭ７０から取得する（ステップＳ１００）。
【００４５】
続いて、電力制御部５４は、最小電流となる電圧の識別値ＶａｅをＲＯＭ７０から取得し、Ｖａｅが示す電圧に対応する電力で、定着部８０に定着制御を行わせる（ステップＳ１０２）。
【００４６】
続いて、受付部５１、変換部５２、及び確定部５３は、ＡＣ入力電圧検出部２０のリレーがオンすると、ＡＣ電源電圧確定処理を行う（ステップＳ１０４）。なお、ＡＣ電源電圧確定処理の詳細については後述する。
【００４７】
続いて、電力制御部５４は、ＡＣ電源電圧確定処理で確定された電圧に対応する電力で、定着部８０に定着制御を行わせる（ステップＳ１０６）。
【００４８】
図９は、第１実施形態のＡＣ電源電圧確定処理の手順の流れの一例を示すフローチャートである。
【００４９】
まず、確定部５３は、ＡＣ入力電圧から算出されたＡＣ電源電圧の識別値Ｖａｃの現在の値と前回の値との不一致回数を示す変数Ｅの値を０に初期化する（ステップＳ１２０）。
【００５０】
続いて、確定部５３は、Ｖａｃの現在の値と前回の値との一致回数を示す変数Ｃの値を０に初期化する（ステップＳ１２２）。
【００５１】
続いて、変換部５２は、現在のＶａｃ（ステップＳ１２４）を算出する。具体的には、変換部５２は、受付部５１により受け付けられたＡＣ入力電圧のデジタルの電圧値を、図６に示す電力制御テーブルで対応付けられたＡＣ電源電圧の識別値に変換することにより、現在のＶａｃを算出する。なお、変換部５２は、現在のＶａｃを算出する前に、前回算出したＶａｃ（前回のＶａｃ）を、ＲＡＭ６０に保存しておく。
【００５２】
続いて、確定部５３は、変数Ｃの値が０か否かを確認する（ステップＳ１２６）。
【００５３】
変数Ｃの値が０でない場合（ステップＳ１２６でＮｏ）、確定部５３は、現在のＶａｃと前回のＶａｃとが一致するか否か確認する（ステップＳ１２８）。
【００５４】
変数Ｃの値が０である場合（ステップＳ１２６でＹｅｓ）、又は現在のＶａｃと前回のＶａｃとが一致する場合（ステップＳ１２８でＹｅｓ）、確定部５３は、変数Ｃの値をインクリメントする（ステップＳ１３０）。
【００５５】
続いて、確定部５３は、変数Ｃの値が５であるか否かを確認する（ステップＳ１３２）。
【００５６】
変数Ｃの値が５である場合（ステップＳ１３２でＹｅｓ）、確定部５３は、ＡＣ電源電圧を現在のＶａｃが示す電圧に確定する（ステップＳ１３４）。
【００５７】
変数Ｃの値が５でない場合（ステップＳ１３２でＮｏ）、ステップＳ１２４に戻り、変換部５２は、現在のＶａｃを算出する。
【００５８】
また、ステップＳ１２８において、現在のＶａｃと前回のＶａｃとが一致しない場合（ステップＳ１２８でＮｏ）、確定部５３は、変数Ｅの値をインクリメントする（ステップＳ１３６）。
【００５９】
続いて、確定部５３は、変数Ｅの値が５であるか否かを確認する（ステップＳ１３８）。
【００６０】
変数Ｅの値が５である場合（ステップＳ１３８でＹｅｓ）、確定部５３は、ＡＣ電源電圧を最小電流となる電圧の識別値Ｖａｅが示す電圧に確定する（ステップＳ１４０）。
【００６１】
変数Ｅの値が５でない場合（ステップＳ１３８でＮｏ）、ステップＳ１２２に戻り、確定部５３は、変数Ｃの値を０に初期化する。
【００６２】
以上の処理により、ＡＣ入力電圧から算出されたＡＣ電源電圧の識別値Ｖａｃが４回連続して一致すれば（５回連続して同一であれば）、Ｖａｃが示す電圧にＡＣ電源電圧が確定される。また、ＡＣ入力電圧から算出されたＡＣ電源電圧の識別値Ｖａｃの現在の値と前回の値との不一致回数が５回に達すれば、最小電流となる電圧の識別値Ｖａｅが示す電圧にＡＣ電源電圧が確定される。
【００６３】
例えば、受付部５１により受け付けられたＡＣ入力電圧のデジタルの電圧値が、５３５、５４３、５５０、５５７、５６０、５５５、５５７であるとすると、変換部５２により算出されるＶａｃは、それぞれ、２２０Ｖ、２３０Ｖ、２３０Ｖ、２３０Ｖ、２３０Ｖ、２３０Ｖ、２３０Ｖとなる。この場合、２２０Ｖ（５３５）と２３０Ｖ（５４３）との比較結果が不一致となった後、Ｖａｃは、５回連続して２３０Ｖとなり、４回連続して一致することになるため、ＡＣ電源電圧が２３０Ｖに確定される。これにより、定着部８０の定着制御は、デフォルト値の電力（例えば、２４００Ｗ）で行われる。
【００６４】
また例えば、受付部５１により受け付けられたＡＣ入力電圧のデジタルの電圧値が、５２５、５４５、５７４、５４４、５８０、５４４、５６０、５７７、５７５、５９０、５６６であるとすると、変換部５２により算出されるＶａｃは、それぞれ、２２０Ｖ、２３０Ｖ、２４０Ｖ、２３０Ｖ、２４０Ｖ、２３０Ｖ、２３０Ｖ、２４０Ｖ、２４０Ｖ、２４０Ｖ、２３０Ｖとなる。この場合、２２０Ｖ（５２５）と２３０Ｖ（５４５）との比較結果、２４０Ｖ（５７４）と２３０Ｖ（５４４）との比較結果、２４０Ｖ（５８０）と２３０Ｖ（５４４）との比較結果、２３０Ｖ（５６０）と２４０Ｖ（５７７）との比較結果、及び２４０Ｖ（５９０）と２３０Ｖ（５６６）との比較結果が不一致となり、不一致回数が５回となるため、ＡＣ電源電圧が最小電流となる２４０Ｖに確定される。これにより、定着部８０の定着制御は、デフォルト値−２００Ｗの電力（例えば、２２００Ｗ）で行われ、最大電流値をオーバーしてしまうことを防止できる。
【００６５】
なお、図９に示す例では、ＡＣ入力電圧から算出されたＡＣ電源電圧の識別値Ｖａｃが４回連続して一致した場合に、Ｖａｃが示す電圧にＡＣ電源電圧を確定する例について説明したが、ＡＣ電源電圧を確定するために必要な連続一致回数はこれに限定されるものではなく、適宜設定できる。同様に、図９に示す例では、Ｖａｃの現在の値と前回の値との不一致回数が５回に達すれば、最小電流となる電圧の識別値Ｖａｅが示す電圧にＡＣ電源電圧を確定する例について説明したが、ＡＣ電源電圧を確定するために必要な不一致回数はこれに限定されるものではなく、適宜設定できる。
【００６６】
以上のように、第１実施形態では、ＡＣ電源にノイズが入り、ＡＣ入力電圧を誤検知してしまった場合であっても、ＡＣ入力電圧から算出されたＡＣ電源電圧の識別値が所定回数連続して一致しなければ、識別値が示す電圧にＡＣ電源電圧を確定しない。このため第１実施形態によれば、ＡＣ電源電圧を誤った電圧に確定してしまうことを高い精度で防止でき、消費電力増加や定着不良などが生じない適切な電力制御を行うことができる。
【００６７】
また、第１実施形態では、ＡＣ入力電圧から算出されたＡＣ電源電圧の識別値の現在の値と前回の値との不一致回数が所定回数に達すれば、最小電流となる電圧にＡＣ電源電圧を確定するため、最大電流値をオーバーしてしまうことを防止できる。
【００６８】
（第１実施形態の変形例）
なお、第１実施形態では、ＡＣ入力電圧から算出されたＡＣ電源電圧の識別値の現在の値と前回の値との不一致回数が所定回数に達した場合に、最小電流となる電圧にＡＣ電源電圧を確定する例について説明したが、国別ＡＣ電源電圧に確定するようにしてもよい。
【００６９】
図１０は、第１実施形態の変形例のＡＣ電源電圧確定処理の手順の流れの一例を示すフローチャートである。
【００７０】
ステップＳ２２０〜Ｓ２３８までの処理は、図９に示すフローチャートのステップＳ１２０〜Ｓ１３８までの処理と同様であるため、説明を省略する。
【００７１】
そして、変数Ｅの値が５である場合（ステップＳ２３８でＹｅｓ）、確定部５３は、ＡＣ電源電圧を国別ＡＣ電源電圧の識別値Ｖａｄが示す電圧に確定する（ステップＳ２４０）。
【００７２】
以上の処理により、ＡＣ入力電圧から算出されたＡＣ電源電圧の識別値Ｖａｃの現在の値と前回の値との不一致回数が５回に達すれば、国別ＡＣ電源電圧の識別値Ｖａｄが示す電圧にＡＣ電源電圧が確定される。例えば、第１実施形態の変形例の複写機１がドイツに出荷される場合には、国別ＡＣ電源電圧の識別値Ｖａｄは、２３０Ｖとなるため、ＡＣ電源電圧が２３０Ｖに確定される。これにより、定着部８０の定着制御は、デフォルト値の電力（例えば、２４００Ｗ）で行われる。
【００７３】
（第２実施形態）
第２実施形態では、ＡＣ入力電圧から算出されたＡＣ電源電圧の識別値の現在の値と前回の値との一致回数が所定回数に達すれば、ＡＣ電源電圧の識別値が示す電圧にＡＣ電源電圧を確定する例について説明する。以下では、第１実施形態との相違点の説明を主に行い、第１実施形態と同様の機能を有する構成要素については、第１実施形態と同様の名称・符号を付し、その説明を省略する。
【００７４】
図１１は、第２実施形態のＣＰＵ１５０の機能構成の一例を示すブロック図である。第２実施形態では、確定部１５３の処理内容が第１実施形態と相違する。
【００７５】
確定部１５３は、変換部５２により変換が行われる毎に、現在のＡＣ電源電圧の識別値と前回のＡＣ電源電圧の識別値とが一致するか否かを判定し、一致を示す判定結果が所定回数に達した場合に、識別値を確定する。
【００７６】
図１２は、第２実施形態のＡＣ電源電圧確定処理の手順の流れの一例を示すフローチャートである。
【００７７】
まず、確定部１５３は、ＡＣ入力電圧から算出されたＡＣ電源電圧の識別値Ｖａｃの現在の値と前回の値との不一致回数を示す変数Ｅの値を０に初期化する（ステップＳ３２０）。
【００７８】
続いて、確定部１５３は、Ｖａｃの現在の値と前回の値との一致回数をＶａｃの取り得る値毎に示す変数Ｃ１〜Ｃｎの値を０に初期化する（ステップＳ３２２）。なお第２実施形態では、ｎ＝４であり、変数Ｃ１は２０８ＶでのＶａｃの一致回数を示し、変数Ｃ２は２２０ＶでのＶａｃの一致回数を示し、変数Ｃ３は２３０ＶでのＶａｃの一致回数を示し、変数Ｃ４は２４０ＶでのＶａｃの一致回数を示す。
【００７９】
続いて、変換部５２は、現在のＶａｃを算出する（ステップＳ３２４）。具体的には、変換部５２は、図６に示す電力制御テーブルを参照し、受付部５１により受け付けられたＡＣ入力電圧のデジタルの電圧値を、対応付けられたＡＣ電源電圧の識別値に変換することにより、現在のＶａｃを算出する。なお、変換部５２は、現在のＶａｃを算出する前に、前回算出したＶａｃ（前回のＶａｃ）を、ＲＡＭ６０に保存しておく。
【００８０】
続いて、確定部１５３は、現在のＶａｃに対応する変数Ｃｉの値が０か否かを確認する（ステップＳ３２６）。なお、ｉは、１〜４のいずれかである。
【００８１】
変数Ｃｉの値が０でない場合（ステップＳ３２６でＮｏ）、確定部１５３は、現在のＶａｃと前回のＶａｃとが一致するか否か確認する（ステップＳ３２８）。
【００８２】
変数Ｃｉの値が０である場合（ステップＳ３２６でＹｅｓ）、又は現在のＶａｃと前回のＶａｃとが一致する場合（ステップＳ３２８でＹｅｓ）、確定部１５３は、変数Ｃｉの値をインクリメントする（ステップＳ３３０）。
【００８３】
続いて、確定部１５３は、変数Ｃｉの値が５であるか否かを確認する（ステップＳ３３２）。
【００８４】
変数Ｃｉの値が５である場合（ステップＳ３３２でＹｅｓ）、確定部１５３は、ＡＣ電源電圧を現在のＶａｃが示す電圧に確定する（ステップＳ３３４）。
【００８５】
変数Ｃｉの値が５でない場合（ステップＳ３３２でＮｏ）、ステップＳ３２４に戻り、変換部５２は、現在のＶａｃを算出する。
【００８６】
また、ステップＳ３２８において、現在のＶａｃと前回のＶａｃとが一致しない場合（ステップＳ３２８でＮｏ）、確定部１５３は、変数Ｅの値をインクリメントする（ステップＳ３３６）。
【００８７】
続いて、確定部１５３は、変数Ｅの値が５であるか否かを確認する（ステップＳ３３８）。
【００８８】
変数Ｅの値が５である場合（ステップＳ３３８でＹｅｓ）、確定部１５３は、ＡＣ電源電圧を最小電流となる電圧の識別値Ｖａｅが示す電圧に確定する（ステップＳ３４０）。
【００８９】
変数Ｅの値が５でない場合（ステップＳ３３８でＮｏ）、ステップＳ３２４に戻り、変換部５２は、現在のＶａｃを算出する。
【００９０】
以上の処理により、ＡＣ入力電圧から算出されたＡＣ電源電圧の識別値Ｖａｃが４回一致すれば（５回算出されれば）、Ｖａｃが示す電圧にＡＣ電源電圧が確定される。また、ＡＣ入力電圧から算出されたＡＣ電源電圧の識別値Ｖａｃの現在の値と前回の値との不一致回数が５回に達すれば、最小電流となる電圧の識別値Ｖａｅが示す電圧にＡＣ電源電圧が確定される。
【００９１】
例えば、受付部５１により受け付けられたＡＣ入力電圧のデジタルの電圧値が、５３５、５４３、５５０、５５７、５６０、５５５、５５７であるとすると、変換部５２により算出されるＶａｃは、それぞれ、２２０Ｖ、２３０Ｖ、２３０Ｖ、２３０Ｖ、２３０Ｖ、２３０Ｖ、２３０Ｖとなる。この場合、２２０Ｖに対応するＣ２の値がインクリメントされた後、２２０Ｖ（５３５）と２３０Ｖ（５４３）との比較結果が不一致となる。その後、Ｖａｃは、５回連続して２３０Ｖとなり、４回連続して一致することになるため、２３０Ｖに対応するＣ３の値が５に達し、ＡＣ電源電圧が２３０Ｖに確定される。これにより、定着部８０の定着制御は、デフォルト値の電力（例えば、２４００Ｗ）で行われる。
【００９２】
以上のように、第２実施形態では、ＡＣ電源にノイズが入り、ＡＣ入力電圧を誤検知してしまった場合であっても、ＡＣ入力電圧から算出されたＡＣ電源電圧の識別値が所定回数一致しなければ、識別値が示す電圧にＡＣ電源電圧を確定しない。このため第２実施形態によれば、ＡＣ電源電圧を誤った電圧に確定してしまうことを防止しつつ、ＡＣ電源電圧の確定にかかる時間を短縮することができ、消費電力増加や定着不良などが生じない適切な電力制御を行うことができる。
【００９３】
（第２実施形態の変形例）
なお、第２実施形態においても、ＡＣ入力電圧から算出されたＡＣ電源電圧の識別値の現在の値と前回の値との不一致回数が所定回数に達した場合に、国別のＡＣ電源電圧に確定するようにしてもよい。
【００９４】
図１３は、第２実施形態の変形例のＡＣ電源電圧確定処理の手順の流れの一例を示すフローチャートである。
【００９５】
ステップＳ４２０〜Ｓ４３８までの処理は、図１２に示すフローチャートのステップＳ３２０〜Ｓ３３８までの処理と同様であるため、説明を省略する。
【００９６】
そして、変数Ｅの値が５である場合（ステップＳ４３８でＹｅｓ）、確定部１５３は、ＡＣ電源電圧を国別のＡＣ電源電圧の識別値Ｖａｄが示す電圧に確定する（ステップＳ４４０）。
【００９７】
（第３実施形態）
第３実施形態では、ＡＣ電源電圧を確定した後に定着部による定着制御を開始する例について説明する。以下では、第１実施形態との相違点の説明を主に行い、第１実施形態と同様の機能を有する構成要素については、第１実施形態と同様の名称・符号を付し、その説明を省略する。
【００９８】
図１４は、第３実施形態のＣＰＵ２５０の機能構成の一例を示すブロック図である。第３実施形態では、取得部が含まれず、電力制御部２５４の処理内容が第１実施形態と相違する。
【００９９】
電力制御部２５４は、確定部５３により確定されるまで、電力制御を行わない。
【０１００】
図１５は、第３実施形態の複写機１の立ち上がり後のＡＣ入力電圧検知部２０の状態と定着部８０の電力制御の関係との一例を説明する説明図である。
【０１０１】
図１５に示すように、第３実施形態では、第１実施形態のように、複写機１によるリレー異常確認の終了後直ちに定着部８０による定着制御を行うのではなく、ＡＣ電源電圧の確定後に定着部８０による定着制御を開始する。
【０１０２】
図１６は、第３実施形態の電力制御の手順の流れの一例を示すフローチャートである。
【０１０３】
まず、受付部５１、変換部５２、及び確定部５３は、ＡＣ入力電圧検出部２０のリレーがオンすると、ＡＣ電源電圧確定処理を行う（ステップＳ５００）。なお、ＡＣ電源電圧確定処理については、第１実施形態と同様であるため、説明を省略する。
【０１０４】
続いて、電力制御部２５４は、ＡＣ電源電圧確定処理で確定された電圧に対応する電力で、定着部８０に定着制御を行わせる（ステップＳ５０２）。
【０１０５】
（第４実施形態）
第４実施形態では、ＡＣ電源電圧確定機能の使用の有無を判別する例について説明する。以下では、第１実施形態との相違点の説明を主に行い、第１実施形態と同様の機能を有する構成要素については、第１実施形態と同様の名称・符号を付し、その説明を省略する。
【０１０６】
図１７は、第４実施形態のＣＰＵ３５０の機能構成の一例を示すブロック図である。第４実施形態では、確定部３５３及び電力制御部３５４の処理内容が第１実施形態と相違する。
【０１０７】
図１８は、第４実施形態の電力制御の手順の流れの一例を示すフローチャートである。
【０１０８】
まず、取得部５５は、ＡＣ入力電圧検出部２０の起動が開始されると、国別ＡＣ電源電圧の識別値ＶａｄをＲＯＭ７０から取得する（ステップＳ６００）。
【０１０９】
続いて、確定部３５３は、取得部５５により取得されたＶａｄから、ＡＣ電源電圧が２００Ｖ系であるか否かを判定する（ステップＳ６０２）。
【０１１０】
確定部３５３によりＡＣ電源電圧が２００Ｖ系であると判定された場合（ステップＳ６０２でＹｅｓ）、電力制御部３５４は、最小電流となる電圧の識別値ＶａｅをＲＯＭ７０から取得し、Ｖａｅが示す電圧に対応する電力で、定着部８０に定着制御を行わせる（ステップＳ６０４）。
【０１１１】
続いて、受付部５１、変換部５２、及び確定部３５３は、ＡＣ入力電圧検出部２０のリレーがオンすると、ＡＣ電源電圧確定処理を行う（ステップＳ６０６）。なお、ＡＣ電源電圧確定処理については、第１実施形態と同様であるため、説明を省略する。
【０１１２】
続いて、電力制御部３５４は、ＡＣ電源電圧確定処理で確定された電圧に対応する電力で、定着部８０に定着制御を行わせる（ステップＳ６０８）。
【０１１３】
一方、ステップＳ６０２において、確定部３５３によりＡＣ電源電圧が２００Ｖ系でないと判定された場合（ステップＳ６０２でＮｏ）、電力制御部３５４は、予め定められた電圧（例えば、１００Ｖ系の電圧）に対応する電力で、定着部８０に定着制御を行わせる（ステップＳ６１０）。
【０１１４】
なお、第４実施形態では、２００Ｖ系のみＡＣ電源電圧確定機能を使用する例について説明したが、１００Ｖ系のみＡＣ電源電圧確定機能を使用するようにしてもよいし、２００Ｖ系及び１００Ｖ系の両方でＡＣ電源電圧確定機能を使用するようにしてもよい。
【０１１５】
（第５実施形態）
第５実施形態では、定着部８０による定着制御の開始時には、国別ＡＣ電源電圧に対応する電力で制御し、ＡＣ電源電圧確定後に確定された電圧に対応する電力で制御する例について説明する。以下では、第１実施形態との相違点の説明を主に行い、第１実施形態と同様の機能を有する構成要素については、第１実施形態と同様の名称・符号を付し、その説明を省略する。
【０１１６】
図１９は、第５実施形態のＣＰＵ４５０の機能構成の一例を示すブロック図である。第５実施形態では、電力制御部４５４の処理内容が第１実施形態と相違する。
【０１１７】
図２０は、第５実施形態の電力制御の手順の流れの一例を示すフローチャートである。
【０１１８】
まず、取得部５５は、ＡＣ入力電圧検出部２０の起動が開始されると、国別ＡＣ電源電圧の識別値ＶａｄをＲＯＭ７０から取得する（ステップＳ７００）。
【０１１９】
続いて、電力制御部４５４は、取得部５５により取得されたＶａｄが示す電圧に対応する電力で、定着部８０に定着制御を行わせる（ステップＳ７０２）。
【０１２０】
続いて、受付部５１、変換部５２、及び確定部５３は、ＡＣ入力電圧検出部２０のリレーがオンすると、ＡＣ電源電圧確定処理を行う（ステップＳ７０４）。なお、ＡＣ電源電圧確定処理については、第１実施形態と同様であるため、説明を省略する。
【０１２１】
続いて、電力制御部４５４は、ＡＣ電源電圧確定処理で確定された電圧に対応する電力で、定着部８０に定着制御を行わせる（ステップＳ７０６）。
【０１２２】
（第６実施形態）
第６実施形態では、ＡＣ入力電圧から算出されたＡＣ電源電圧の識別値の現在の値と前回の値との不一致回数が所定回数に達した場合に、不一致時の識別値が示す電圧のうちの最大電圧にＡＣ電源電圧を確定する例について説明する。以下では、第３実施形態との相違点の説明を主に行い、第３実施形態と同様の機能を有する構成要素については、第３実施形態と同様の名称・符号を付し、その説明を省略する。
【０１２３】
図２１は、第６実施形態のＡＣ電源電圧確定処理の手順の流れの一例を示すフローチャートである。
【０１２４】
まず、確定部５３は、ＡＣ入力電圧から算出されるＡＣ電源電圧の識別値Ｖａｃが格納されるバッファＶ＿ＡＣ［０］〜Ｖ＿ＡＣ［４］、及び現在のＶａｃと前回のＶａｃとが一致しない場合に、現在のＶａｃが格納されるバッファＶ＿ＥＲ［０］〜Ｖ＿ＥＲ［４］を初期化する（ステップＳ８００）。
【０１２５】
ステップＳ８０２〜Ｓ８０４までの処理は、図９に示すフローチャートのステップＳ１２０〜Ｓ１２２までの処理と同様であるため、説明を省略する。
【０１２６】
続いて、変換部５２は、現在のＶａｃ（ステップＳ８０６）を算出し、Ｖ＿ＡＣ［Ｃ］に格納する。具体的には、変換部５２は、受付部５１により受け付けられたＡＣ入力電圧のデジタルの電圧値を、図６に示す電力制御テーブルで対応付けられたＡＣ電源電圧の識別値に変換することにより、現在のＶａｃを算出する。
【０１２７】
ステップＳ８０８の処理は、図９に示すフローチャートのステップＳ１２６の処理と同様であるため、説明を省略する。
【０１２８】
ステップＳ８０８において、変数Ｃの値が０でない場合（ステップＳ８０８でＮｏ）、確定部５３は、Ｖ＿ＡＣ［Ｃ］に格納されているＶａｃと、Ｖ＿ＡＣ［Ｃ−１］に格納されているＶａｃとが一致するか否か確認することにより、現在のＶａｃと前回のＶａｃとが一致するか否か確認する（ステップＳ８１０）。
【０１２９】
ステップＳ８１２〜Ｓ８１４までの処理は、図９に示すフローチャートのステップＳ１３０〜Ｓ１３２までの処理と同様であるため、説明を省略する。
【０１３０】
ステップＳ８１４において、変数Ｃの値が５である場合（ステップＳ８１４でＹｅｓ）、確定部５３は、ＡＣ電源電圧をＶ＿ＡＣ［０］に格納されているＶａｃが示す電圧に確定する（ステップＳ８１６）。
【０１３１】
変数Ｃの値が５でない場合（ステップＳ８１４でＮｏ）、ステップＳ８０６に戻り、変換部５２は、現在のＶａｃを算出する。
【０１３２】
また、ステップＳ８１０において、現在のＶａｃと前回のＶａｃとが一致しない場合（ステップＳ８１０でＮｏ）、確定部５３は、Ｖ＿ＡＣ［Ｃ］に格納されているＶａｃをＶ＿ＥＲ［Ｅ］に格納する（ステップＳ８１８）。
【０１３３】
ステップＳ８２０〜Ｓ８２２までの処理は、図９に示すフローチャートのステップＳ１３６〜Ｓ１３８までの処理と同様であるため、説明を省略する。
【０１３４】
ステップＳ８２２において、変数Ｅの値が５である場合（ステップＳ８２２でＹｅｓ）、確定部５３は、ＡＣ電源電圧をＶ＿ＥＲ［０］〜Ｖ＿ＥＲ［４］に格納されているＶａｃが示す電圧のうちの最大電圧に確定する（ステップＳ８２４）。
【０１３５】
変数Ｅの値が５でない場合（ステップＳ８２２でＮｏ）、ステップＳ８０４に戻り、確定部５３は、変数Ｃの値を０に初期化する。
【０１３６】
以上の処理により、ＡＣ入力電圧から算出されたＡＣ電源電圧の識別値Ｖａｃが４回連続して一致すれば（５回連続して同一であれば）、Ｖａｃが示す電圧にＡＣ電源電圧が確定される。また、ＡＣ入力電圧から算出されたＡＣ電源電圧の識別値Ｖａｃの現在の値と前回の値との不一致回数が５回に達すれば、不一致時の識別値Ｖａｃが示す電圧のうちの最大電圧にＡＣ電源電圧が確定される。
【０１３７】
例えば、受付部５１により受け付けられたＡＣ入力電圧のデジタルの電圧値が、５２５、５４５、５７４、５４４、５８０、５４４、５６０、５７７、５７５、５９０、５６６であるとすると、変換部５２により算出されるＶａｃは、それぞれ、２２０Ｖ、２３０Ｖ、２４０Ｖ、２３０Ｖ、２４０Ｖ、２３０Ｖ、２３０Ｖ、２４０Ｖ、２４０Ｖ、２４０Ｖ、２３０Ｖとなる。この場合、まず、２２０Ｖ（５２５）と２３０Ｖ（５４５）との比較結果が不一致となり、Ｖ＿ＥＲ［０］に２３０Ｖが格納される。続いて、２４０Ｖ（５７４）と２３０Ｖ（５４４）との比較結果が不一致となり、Ｖ＿ＥＲ［１］に２４０Ｖが格納される。続いて、２４０Ｖ（５８０）と２３０Ｖ（５４４）との比較結果が不一致となり、Ｖ＿ＥＲ［２］に２４０Ｖが格納される。続いて、２３０Ｖ（５６０）と２４０Ｖ（５７７）との比較結果が不一致となり、Ｖ＿ＥＲ［３］に２４０Ｖが格納される。続いて、２４０Ｖ（５９０）と２３０Ｖ（５６６）との比較結果が不一致となり、Ｖ＿ＥＲ［４］に２４０Ｖが格納される。ここで、不一致回数が５回となるため、ＡＣ電源電圧が、Ｖ＿ＥＲ［０］〜Ｖ＿ＥＲ［４］に格納されている識別値が示す電圧のうちの最大電圧である２４０Ｖに確定される。これにより、定着部８０の定着制御は、デフォルト値−２００Ｗの電力（例えば、２２００Ｗ）で行われる。このようなノイズレベルに応じた定着制御により定着電力を活用する事ができる。
【０１３８】
なお第６実施形態では、第３実施形態同様、定着部８０による定着制御が開始される直前にＡＣ電源電圧の検知が行われるため、ヒータの突入電流等の影響を受けずに、安定したＡＣ電源電圧検知を行う事ができる。
【０１３９】
また第６実施形態では、第３実施形態同様、ＡＣ入力電圧検知部２０の起動が完了してからＡＣ電源電圧検知が開始される。これにより、ＡＣ入力電圧検知部２０の回路がフィルタで構成され、ＡＣ電源が入力されてからＡＣ入力電圧検知部２０の回路出力が安定するまで待機時間が必要な場合であっても対応することができる。また、ＡＣ入力電圧検知部２０をＡＣリレー（図示省略）の後段に配置する場合には、ＡＣリレーのチャタリング時間の待機時間が必要となるが、このようなチャタリング時間の待機時間にも対応することができる。
【０１４０】
（第６実施形態の変形例）
なお第６実施形態では、所定のタイミング毎、具体的には、定着部８０による定着制御が開始される直前だけでなくリアルタイムにＡＣ電源電圧の検知を行うようにしてもよい。これにより、機器起動後のＡＣ電源環境異変に対応することができる。なお、リアルタイムでＡＣ電源電圧を検知する場合、ＡＣ電源が突入電流で不安定になるタイミングがあるので、これを避けてＡＣ電源電圧を検知する。
【０１４１】
図２２は、第６実施形態の変形例のＡＣ電源電圧の検知タイミングの一例を説明する説明図である。図２２に示す例では、定着部８０による定着制御が開始される直前に加え、印刷ジョブの開始直前や印刷ジョブ中にＡＣ電源電圧を検知する。この場合、定着制御に用いられるＡＣ電源電圧は、次回のＡＣ電源電圧が確定されるまで用いられる。
【０１４２】
図２３は、第６実施形態の変形例のＡＣ電源電圧の検知タイミングの一例を説明する説明図である。図２３に示す例では、定着部８０による定着制御が開始される直前に加え、定着制御開始後、所定時間毎にＡＣ電源電圧を検知する。この場合も、定着制御に用いられるＡＣ電源電圧は、次回のＡＣ電源電圧が確定されるまで用いられる。
【０１４３】
（第７実施形態）
第７実施形態では、ＡＣ電源電圧を確定する処理をハードウェアで実現する例について説明する。以下では、第６実施形態（第１実施形態）との相違点の説明を主に行い、第６実施形態と同様の機能を有する構成要素については、第６実施形態と同様の名称・符号を付し、その説明を省略する。
【０１４４】
図２４は、第７実施形態の電力制御装置の一部の構成例を示すブロック図である。図２４に示す例では、エンジン制御部７３０の制御内容、及びホールド部７９５が追加された点が、第６実施形態と相違する。
【０１４５】
ホールド部７９５は、フィルタ部７９６と、識別値ホールド部７９７と、カウンタ部７９８とを、備える。
【０１４６】
フィルタ部７９６は、前述したＡＣ電源電圧確定処理を実行する回路である。識別値ホールド部７９７は、フィルタ部７９６により確定されたＡＣ電源電圧の識別値を保持する回路である。なお識別値ホールド部７９７は、カウンタ部７９８の指示に基づき、ＡＣ電源電圧の識別値を出力する。カウンタ部７９８は、予め定められた時間をカウントし、カウントが終了すると、識別値ホールド部７９７にＡＣ電源電圧の識別値の出力を指示する。なお、ＡＣ入力電圧検知部２０の起動時以外にも前述したＡＣ電源電圧確定処理を実行する場合には、カウンタ部７９８によるカウントは、カウント終了後に再び開始される。これにより、所定時間毎に、識別値ホールド部７９７からＡＣ電源電圧の識別値が出力される。
【０１４７】
エンジン制御部７３０は、ホールド部７９５から出力されたＡＣ電源電圧の識別値を用いて、定着部８０の定着制御を行う。なおエンジン制御部７３０は、ホールド部７９５から出力されたＡＣ電源電圧の識別値の平均値を算出し、算出した平均値を用いて定着部８０の定着制御を行うようにしてもよい。
【０１４８】
第７実施形態によれば、ハードウェアであるホールド部７９５でＡＣ電源電圧を確定するため、エンジン制御部７３０のソフトウェアによる制御を簡易化できる。
【０１４９】
なお図示は省略するが、第７実施形態では、省エネルギー化のため、ＡＣ電源５とＡＣ入力電圧検知部２０との間（ＡＣ入力電圧検知部２０の前段）にリレーを搭載して遮断する構成であるものとするが、これに限定されず、ＡＣ入力電圧検知部２０の後段にリレーを搭載してもよい。このようにすれば、ＡＣ入力電圧検知部２０の起動を待機せずにＡＣ電源電圧確定処理を実行できる。
【０１５０】
（変形例）
なお、本発明は、上記各実施の形態に限定されるものではなく、種々の変形が可能である。例えば、上記各実施の形態では、複写機に電力制御装置を適用した例について説明したが、プリンタ、ファクシミリ装置、及び複合機などにも電力制御装置を適用することができる。更に、画像形成装置に限られず、ＡＣ電源で制御する電子機器であれば、電力制御装置を適用することができる。また、上記各実施の形態を適宜組み合わせることも可能である。
【符号の説明】
【０１５１】
１  複写機
５  ＡＣ電源
１０  電力制御装置
２０  ＡＣ入力電圧検知部
２１  トランス
２２  ブリッジダイオード
２３  平滑コンデンサ
２４  分圧抵抗
２５  オペアンプ
２６  可変抵抗
３０、７３０  エンジン制御部
４０  ＩＯ制御部
４２  Ａ／Ｄ変換部
４４  定着制御部
５０、１５０、２５０、３５０、４５０  ＣＰＵ
５１  受付部
５２  変換部
５３、１５３、３５３  確定部
５４、２５４、３５４、４５４  電力制御部
５５  取得部
６０  ＲＡＭ
７０  ＲＯＭ
８０  定着部
８２  定着ヒータ駆動部
８４  定着ヒータ
９０  ＤＣ電源
７９５  ホールド部
７９６  フィルタ部
７９７  識別値ホールド部
７９８  カウンタ部
【先行技術文献】
【特許文献】
【０１５２】
【特許文献１】特開２００４−２３３７４５号公報
【図１】
0005644347.tif 000002
【図２】
0005644347.tif 000003
【図３】
0005644347.tif 000004
【図４】
0005644347.tif 000005
【図５】
0005644347.tif 000006
【図６】
0005644347.tif 000007
【図７】
0005644347.tif 000008
【図８】
0005644347.tif 000009
【図９】
0005644347.tif 000010
【図１０】
0005644347.tif 000011
【図１１】
0005644347.tif 000012
【図１２】
0005644347.tif 000013
【図１３】
0005644347.tif 000014
【図１４】
0005644347.tif 000015
【図１５】
0005644347.tif 000016
【図１６】
0005644347.tif 000017
【図１７】
0005644347.tif 000018
【図１８】
0005644347.tif 000019
【図１９】
0005644347.tif 000020
【図２０】
0005644347.tif 000021
【図２１】
0005644347.tif 000022
【図２２】
0005644347.tif 000023
【図２３】
0005644347.tif 000024
【図２４】
0005644347.tif 000025